(57)【要約】【課題】空調システムにおいて室外空調容量と室内空調容量とが適切な関係となるように室外ユニットと室内ユニットが接続されていることを利用して伝送異常が生じているか否かを判断しやすくすることが可能な、空調システムにおける伝送異常の判断方法を提供する。【解決手段】室内ユニット４、５、６、７の室内空調容量の総和と、室外ユニット１、２の室外空調容量の総和と、の比率が所定の関係となるように構成された空調システム１００における伝送異常の判断方法であって、室外ユニット１の室外親機ＣＰＵ１３が、室内通信部４１、５１、６１、７１、室外親機通信部１１、室外子機通信部２１を用いた通信により、室内空調容量および室外空調容量の各情報の取得を試み、取得した情報に基づいて室内空調容量の総和および室外空調容量の総和を算出し、比較することにより伝送異常の有無を判断する。【選択図】図６
2012127552.tif 000002
【特許請求の範囲】
【請求項１】
室内ユニット（４、５、６、７）の室内空調容量の総和と、室外ユニット（１、２、３）の室外空調容量の総和と、の比率が所定の関係となるように構成された空調システム（１００、２００、３００）における伝送異常の判断方法であって、
前記室内ユニットは、室内通信手段（４１、５１、６１、７１）、および、自身の前記室内空調容量に関する情報を記憶している室内記憶手段（４２、５２、６２、７２）を有しており、
前記室外ユニットは、室外通信手段（１１、１２、１３）、および、自身の前記室外空調容量に関する情報を記憶している室外記憶手段（１２、２２、３２）を有しており、
前記室内ユニットおよび前記室外ユニットのうちの少なくともいずれか１つの判断主体（１３、４３）が、前記室内通信手段および前記室外通信手段を用いた通信により前記室内空調容量に関する情報および前記室外空調容量に関する情報を前記空調システム全体について取得することを試みて、前記取得した情報に基づいて前記室内ユニットの前記室内空調容量の総和および前記室外ユニットの前記室外空調容量の総和を算出し、前記算出された前記室内空調容量の総和と前記室外空調容量の総和とを比較することにより伝送異常の有無を判断する、
空調システムにおける伝送異常の判断方法。
【請求項２】
前記空調システム（１００、３００）は、前記室外通信手段、および、自身の前記室外空調容量に関する情報を記憶している前記室外記憶手段をそれぞれが有している複数の前記室外ユニットを含んで構成されており、
前記複数の前記室外ユニットおよび前記室内ユニットのうちの少なくとも１つが前記判断主体（１３、４３）である、
請求項１に記載の空調システムにおける伝送異常の判断方法。
【請求項３】
前記空調システム（１００）は、前記室内通信手段、および、自身の前記室内空調容量に関する情報を記憶している前記室内記憶手段をそれぞれが有している複数の前記室内ユニットを含んで構成されており、
前記複数の前記室外ユニットおよび前記複数の前記室内ユニットのうちの少なくとも１つが前記判断主体（１３、４３）である、
請求項２に記載の空調システムにおける伝送異常の判断方法。
【請求項４】
前記判断主体（１３）は、前記複数の前記室外ユニットのうちのいずれか１つである、
請求項２または３に記載の空調システムにおける伝送異常の判断方法。
【請求項５】
前記伝送異常が生じていると判断した場合に、前記判断主体（１３、４３）は、前記伝送異常の発生を報知部（９４）によって報知する、
請求項１から４のいずれか１項に記載の空調システムにおける伝送異常の判断方法。
【発明の詳細な説明】
【技術分野】
【０００１】
本発明は、空調システムにおける伝送異常の判断方法に関する。
【背景技術】
【０００２】
従来より、空気調和装置においてが現地に施工される際に、電気配線の接続が適切に行われているか否かを判断することが行われている。
【０００３】
例えば、特許文献１（特開平７−７１８０２号公報）に記載の空気調和装置では、接続作業を行った各信号線において送信側からチェック信号を送信し、受信側において適切に受信ができた場合には、信号線毎に対応させて設けられているＬＥＤを点灯させる構成としており、誤配線や断線の有無を確認できるようにしている。
【発明の概要】
【発明が解決しようとする課題】
【０００４】
ここで、通常、空調システムにおける室外ユニットと室内ユニットとは、ユーザが希望する空調容量の程度となるように、室外側と室内側とのいずれか一方の容量が大きすぎたり小さすぎたりしないように、室外空調容量の総和と室内空調容量の総和との適切な関係を確保するように室外ユニットや室内ユニットの機種が選ばれて構成されている。このように空調システムを構成することで、室外ユニットや室内ユニットの一部において能力不足が生じにくいようにすることができ、オーバースペックとなって必要以上に空調システムのコストが高くなることを回避することができるようにしている。
【０００５】
仮に、このような空調システムに対して、上記特許文献１（特開平７−７１８０２号公報）に記載の誤配線や断線の判断方法を採用する場合には、誤配線や断線を示すためのＬＥＤを、室外ユニットの全ての機種および室内ユニットの全ての機種において搭載することが必要になってしまう。
【０００６】
本発明は上述した点に鑑みてなされたものであり、本発明の目的は、空調システムにおいて室外空調容量と室内空調容量とが適切な関係となるように室外ユニットと室内ユニットが接続されていることを利用して伝送異常が生じているか否かを判断しやすくすることが可能な、空調システムにおける伝送異常の判断方法を提供することにある。
【課題を解決するための手段】
【０００７】
本発明の第１観点に係る空調システムにおける伝送異常の判断方法は、室内ユニットの室内空調容量の総和と、室外ユニットの室外空調容量の総和と、の比率が所定の関係となるように構成された空調システムにおける伝送異常の判断方法である。室内ユニットは、室内通信手段、および、自身の室内空調容量に関する情報を記憶している室内記憶手段を有している。室外ユニットは、室外通信手段、および、自身の室外空調容量に関する情報を記憶している室外記憶手段を有している。室内ユニットおよび室外ユニットのうちの少なくともいずれか１つの判断主体が、室内通信手段および室外通信手段を用いた通信により室内空調容量に関する情報および室外空調容量に関する情報を空調システム全体について取得することを試みる。そして、この判断主体は、取得した情報に基づいて室内ユニットの室内空調容量の総和および室外ユニットの室外空調容量の総和を算出し、算出された室内空調容量の総和と室外空調容量の総和とを比較することにより伝送異常の有無を判断する。ここでの空調システムとしては、例えば、１台の室外ユニットに対して複数台の室内ユニットが冷媒配管を介して接続されて構成されたもの、１台の室内ユニットに対して複数台の室外ユニットが冷媒配管を介して接続されて構成されたもの、複数台の室外ユニットに対して複数台の室内ユニットが冷媒配管を介して接続されて構成されたものが含まれる。室内空調容量に関する情報は、例えば、室内空調容量そのものを示す情報であってもよいし、判断主体が機種と空調容量との対応情報テーブルを有している場合等においては室内ユニットの機種を示す情報であってもよい。
【０００８】
この空調システムにおける伝送異常の判断方法では、室内ユニットの室内空調容量の総和と室外ユニットの室外空調容量の総和との比率が所定の関係となるように構成された空調システムにおいて、室内通信手段および室外通信手段を用いた通信を行うことで得られた室内空調容量に関する情報および室外空調容量に関する情報に基づいて、室内空調容量の総和と室外空調容量の総和とを比べている。このため、空調システムを構成している室外ユニットの室外空調容量や室内ユニットの室内空調容量の情報のうち、伝送異常が生じることなく実際に通信が確立していたために室外通信手段や室内通信手段を用いた通信によって取得することができた情報に基づいて、室内空調容量の総和と室外空調容量の総和とを比べている。これにより、室外空調容量の総和と室内空調容量の総和との関係が適切な空調システムにおいて、伝送異常の有無を発見しやすくすることが可能になっている。
【０００９】
本発明の第２観点に係る空調システムにおける伝送異常の判断方法は、第１観点に係る空調システムにおける伝送異常の判断方法において、空調システムは、室外通信手段、および、自身の室外空調容量に関する情報を記憶している室外記憶手段をそれぞれが有している複数の室外ユニットを含んで構成されている。そして、複数の室外ユニットおよび室内ユニットのうちの少なくとも１つが判断主体である。
【００１０】
この空調システムにおける伝送異常の判断方法は、複数の室外ユニットを備えて構成された空調システムに対して用いられる。各室外ユニットは、室外通信手段、および、自身の室外空調容量に関する情報を記憶している室外記憶手段を有しているため、室外通信手段や室内通信手段を用いた通信を行うことによって、判断主体は、空調システムを構成している室外ユニットの室外空調容量や室内ユニットの室内空調容量の情報のうち、伝送異常が生じることなく実際に通信が確立していたために室外通信手段や室内通信手段を用いた通信によって取得することができた室外空調容量の総和を把握することができる。これにより、空調システムにおいて、室外ユニットが複数設けられている場合においても、伝送異常を発見しやすくすることが可能になっている。
【００１１】
本発明の第３観点に係る空調システムにおける伝送異常の判断方法は、第２観点に係る空調システムにおける伝送異常の判断方法において、空調システムは、室内通信手段、および、自身の室内空調容量に関する情報を記憶している室内記憶手段をそれぞれが有している複数の室内ユニットを含んで構成されている。そして、複数の室外ユニットおよび複数の室内ユニットのうちの少なくとも１つが判断主体である。
【００１２】
この空調システムにおける伝送異常の判断方法は、複数の室外ユニットおよび複数の室内ユニットを備えて構成された空調システムに対して用いられる。各室外ユニットは、室外通信手段、および、自身の室外空調容量に関する情報を記憶している室外記憶手段を有しており、各室内ユニットは、室内通信手段、および、自身の室内空調容量に関する情報を記憶している室内記憶手段を有している。このため、室外通信手段や室内通信手段を用いた通信を行うことによって、判断主体は、空調システムを構成している室外ユニットの室外空調容量や室内ユニットの室内空調容量の情報のうち、伝送異常が生じることなく実際に通信が確立していたために室外通信手段や室内通信手段を用いた通信によって取得することができた室外空調容量の総和および室内空調容量の総和を把握することができる。これにより、空調システムにおいて、室外ユニットが複数設けられており、室内ユニットも複数設けられている場合においても、伝送異常を発見しやすくすることが可能になっている。
【００１３】
本発明の第４観点に係る空調システムにおける伝送異常の判断方法は、第２観点または第３観点に係る空調システムにおける伝送異常の判断方法において、判断主体は、複数の室外ユニットのうちのいずれか１つである。
【００１４】
この空調システムにおける伝送異常の判断方法では、第２観点に係る空調システムに適用した場合には、室外ユニットが複数設けられている場合の各室外ユニット間の伝送異常を発見しやすくなる。また、第３観点に係る空調システムに適用した場合には、室外ユニットが複数設けられている場合の各室外ユニット間の伝送異常、または、室内ユニットが複数設けられている場合の各室内ユニット間の伝送異常を発見しやすくなる。
【００１５】
本発明の第５観点に係る空調システムにおける伝送異常の判断方法は、第１観点から第４観点のいずれかに係る空調システムにおける伝送異常の判断方法において、伝送異常が生じていると判断した場合に、判断主体は、伝送異常の発生を報知部によって報知する。
【００１６】
この空調システムにおける伝送異常の判断方法では、空調システムにおいて伝送異常が生じていることをサービスエンジニア等に知らせることが可能になる。
【発明の効果】
【００１７】
本発明の第１観点に係る空調システムにおける伝送異常の判断方法では、室外空調容量の総和と室内空調容量の総和との関係が適切な空調システムにおいて、伝送異常の有無を発見しやすくすることが可能になっている。
【００１８】
本発明の第２観点に係る空調システムにおける伝送異常の判断方法では、空調システムにおいて、室外ユニットが複数設けられている場合においても、伝送異常を発見しやすくすることが可能になっている。
【００１９】
本発明の第３観点に係る空調システムにおける伝送異常の判断方法では、空調システムにおいて、室外ユニットが複数設けられており、室内ユニットも複数設けられている場合においても、伝送異常を発見しやすくすることが可能になっている。
【００２０】
本発明の第４観点に係る空調システムにおける伝送異常の判断方法では、室外ユニットおよび／または室内ユニットが複数設けられている場合において、各室外ユニット間および／または各室内ユニット間の伝送異常を発見しやすくなる。
【００２１】
本発明の第５観点に係る空調システムにおける伝送異常の判断方法では、空調システムにおいて伝送異常が生じていることをサービスエンジニア等に知らせることが可能になる。
【図面の簡単な説明】
【００２２】
【図１】本発明の一実施形態が採用された、伝送異常が生じていないシステム構成概略図である。
【図２】本発明の一実施形態が採用された、伝送異常が生じていないブロック構成図である。
【図３】本発明の一実施形態が採用された冷媒回路の概略図である。
【図４】本発明の一実施形態が採用された、伝送異常が生じているシステム構成概略図である。
【図５】本発明の一実施形態が採用された、伝送異常が生じているブロック構成図である。
【図６】伝送異常の判断フローチャートである。
【図７】他の実施形態Ａに係る、伝送異常が生じていないブロック構成概略図である。
【図８】他の実施形態Ｂに係る、伝送異常が生じていないブロック構成概略図である。
【発明を実施するための形態】
【００２３】
以下、本発明の空調システムにおける伝送異常の一実施形態について説明する。
【００２４】
（１）全体概略構成
伝送異常の判断方法が適用される一実施形態としての空調システム１００のシステム構成概略図を、図１に示す。この空調システム１００のブロック構成図を、図２に示す。また、この空調システム１００の冷媒回路を示す図を、図３に示す。
【００２５】
空調システム１００は、複数の室外ユニット１、２と、複数の室内ユニット４、５、６、７と、コントローラ９とが、伝送ラインを介して接続された状態で利用される。以下、各構成および伝送ラインによる接続形態について説明する。
【００２６】
室外ユニット１は、空調システム１００の全体の制御を行ういわゆる親機としての機能を有しており、室外親機通信部１１、室外親機記憶部１２、および、室外親機ＣＰＵ１３を有している。室外親機通信部１１は、後述する室外ユニット２の室外子機通信部２１や、室内ユニット４の第１室内通信部４１や、コントローラ９のリモコン通信部９１と、伝送ラインを介して接続され、情報のやり取りを行う。室外親機記憶部１２は、室外ユニット１の機種を示す情報、室外ユニット１の室外空調容量を示す情報、室外親機ＣＰＵ１３が行う各種制御に利用するための情報、および、温度や消費電力等の履歴情報等が記憶されている。室外親機ＣＰＵ１３は、室外親機通信部１１が取得した情報や、室外親機記憶部１２に格納されている情報に基づいて、伝送異常が生じているか否かの判断処理や、その他各種制御を行う。なお、この室外ユニット１の中では、図３に示すように、圧縮機１５、四路切換弁１６、室外熱交換器１７、室外膨張弁１８がこの順に接続されて冷媒回路の一部を構成している。また、この室外ユニット１の中には、室外熱交換器１７に対して空気流れを供給する室外ファン１９が設けられている。室外親機ＣＰＵ１３は、これらの要素について運転制御を行う。本実施形態において、室外ユニット１に設けられている圧縮機１５と室外熱交換器１７等から定まる室外空調容量は、１０馬力（ＨＰ）となっている。
【００２７】
室外ユニット２は、室外ユニット１に対してのみ伝送ラインを介して接続された室外子機通信部２１、室外子機記憶部２２、室外子機ＣＰＵ２３を有している。室外子機記憶部２２は、室外ユニット２の機種を示す情報、室外ユニット２の室外空調容量を示す情報、室外親機ＣＰＵ２３が行う各種制御に利用するための情報、および、温度や消費電力等の履歴情報等が記憶されている。この室外ユニット２の中には、室外ユニット１と同様に、四路切換弁２６、室外熱交換器２７、室外膨張弁２８がこの順に接続されて冷媒回路の一部を構成している。また、この室外ユニット２の中には、室外熱交換器２７に対して空気流れを供給する室外ファン２９が設けられている。室外子機ＣＰＵ２３は、これらの要素について運転制御を行う。本実施形態において、室外ユニット２に設けられている圧縮機２５と室外熱交換器２７等から定まる室外空調容量は、室外ユニット１と同様に１０馬力（ＨＰ）となっている。
【００２８】
室内ユニット４は、第１室内通信部４１、第１室内記憶部４２、第１室内ＣＰＵ４３を有している。第１室内通信部４１は、室外ユニット１の室外親機通信部１１と伝送ラインを介して接続され、各種情報のやり取りを行う。第１室内記憶部４２は、室内ユニット４の機種を示す情報、室内ユニット４の室内空調容量を示す情報、および、室内温度や設定温度等の履歴情報等が記憶されている。この室内ユニット４の中には、室内熱交換器４５、室内膨張弁４６設けられており、冷媒回路の一部を構成している。また、この室内ユニット４の中には、室内熱交換器４５に対して空気流れを供給する室内ファン４７が設けられている。第１室内ＣＰＵ４３は、室外親機ＣＰＵ１３からの指令を伝送ラインを介して受信し、室内膨張弁４６の弁開度や室内ファン４７の風量を制御する。本実施形態において、室内ユニット４に設けられている室内熱交換器等から定まる室内空調容量は、５馬力（ＨＰ）となっている。
【００２９】
室内ユニット５は、第２室内通信部５１、第２室内記憶部５２、第２室内ＣＰＵ５３を有している。第２室内通信部５１は、室内ユニット４の第１室内通信部４１と伝送ラインを介して接続され、各種情報のやり取りを行う。第２室内記憶部５２は、室内ユニット５の機種を示す情報、室内ユニット５の室内空調容量を示す情報、および、室内温度や設定温度等の履歴情報等が記憶されている。この室内ユニット５の中には、室内熱交換器５５、室内膨張弁５６設けられており、冷媒回路の一部を構成している。なお、室内ユニット４、５、６、７は、冷媒回路における室外ユニット１、２の構成要素に対して、並列に設けられている。また、この室内ユニット５の中には、室内熱交換器５５に対して空気流れを供給する室内ファン５７が設けられている。第２室内ＣＰＵ５３は、室外親機ＣＰＵ１３からの指令を伝送ラインや第１室内通信部４１を介して受信し、室内膨張弁５６の弁開度や室内ファン５７の風量を制御する。本実施形態において、室内ユニット５に設けられている室内熱交換器等から定まる室内空調容量は、室内ユニット４と同様に、５馬力（ＨＰ）となっている。
【００３０】
室内ユニット６は、第３室内通信部６１、第３室内記憶部６２、第３室内ＣＰＵ６３を有している。第３室内通信部６１は、室内ユニット５の第２室内通信部５１と伝送ラインを介して接続され、各種情報のやり取りを行う。第３室内記憶部６２は、室内ユニット６の機種を示す情報、室内ユニット６の室内空調容量を示す情報、および、室内温度や設定温度等の履歴情報等が記憶されている。この室内ユニット６の中には、室内熱交換器６５、室内膨張弁６６設けられており、冷媒回路の一部を構成している。また、この室内ユニット６の中には、室内熱交換器６５に対して空気流れを供給する室内ファン６７が設けられている。第３室内ＣＰＵ６３は、室外親機ＣＰＵ１３からの指令を伝送ライン、第１室内通信部４１および第２室内通信部５１を介して受信し、室内膨張弁６６の弁開度や室内ファン６７の風量を制御する。本実施形態において、室内ユニット６に設けられている室内熱交換器等から定まる室内空調容量は、室内ユニット４、５と同様に、５馬力（ＨＰ）となっている。
【００３１】
室内ユニット７は、第４室内通信部７１、第４室内記憶部７２、第４室内ＣＰＵ７３を有している。第４室内通信部７１は、室内ユニット６の第３室内通信部６１と伝送ラインを介して接続され、各種情報のやり取りを行う。第４室内記憶部７２は、室内ユニット７の機種を示す情報、室内ユニット７の室内空調容量を示す情報、および、室内温度や設定温度等の履歴情報等が記憶されている。この室内ユニット７の中には、室内熱交換器７５、室内膨張弁７６設けられており、冷媒回路の一部を構成している。また、この室内ユニット７の中には、室内熱交換器７５に対して空気流れを供給する室内ファン７７が設けられている。第４室内ＣＰＵ７３は、室外親機ＣＰＵ１３からの指令を伝送ライン、第１室内通信部４１、第２室内通信部５１および第３室内通信部６１を介して受信し、室内膨張弁７６の弁開度や室内ファン７７の風量を制御する。本実施形態において、室内ユニット７に設けられている室内熱交換器等から定まる室内空調容量は、室内ユニット４、５、６と同様に、５馬力（ＨＰ）となっている。
【００３２】
コントローラ９は、室外親機通信部１１と伝送ラインを介して接続されているリモコン通信部９１、リモコン記憶部９２、リモコンＣＰＵ９３、液晶表示部である表示出力部９４を有している。リモコン記憶部９２は、ユーザから入力された設定条件の情報等を格納している。リモコンＣＰＵ９３は、ユーザから受け付けた各種設置情報等を、伝送ラインを介して室外親機通信部１１に送信させたり、室外親機通信部１１から受信した情報を表示出力部９４に文字情報を表示出力させたりする処理を行う。
【００３３】
（２）伝送異常の判断方法
本実施形態の伝送ラインは、空調システム１００を現地に施工する際に設けられるが、接続状態が良好でない場合や断線が生じている場合には、空調システム１００において意図した運転状態を実現させることができないため、伝送ラインを介した情報のやり取りが適切に行われているか、すなわち、伝送異常が生じていないかどうかを判断する。
【００３４】
例えば、図４、図５に示すように、室外ユニット１の室外親機通信部１１と、室外ユニット２の室外子機通信部２１との伝送ラインによる接続に異常があり、伝送異常が生じている場合には、室外ユニット２の室外子機ＣＰＵ２３に適切な指令を送り届けることができず、室外ユニット２の圧縮機２５、四路切換弁２６、室外膨張弁２８、室外ファン２９を意図した運転状態にすることができない。
【００３５】
これに対して、本実施形態では、伝送異常が生じているか否かの判断を行っている。
【００３６】
具体的には、図６のフローチャートに示すように、室外親機ＣＰＵ１３が、伝送ラインを介して接続されている対象から、必要な情報を集め、集まった情報をもとに伝送異常が生じているか否かを判断する。
【００３７】
ステップＳ１０では、室外親機ＣＰＵ１３は、室外親機通信部１１に対して伝送ラインを介して通信可能に接続されている室外ユニットから、その通信可能に接続されている室外ユニットの室外空調容量の情報を取得する。具体的には、図１、２に示すように、室外親機通信部１１と室外子機通信部２１とが通信可能に接続されている場合には、室外親機通信部１１から室外子機通信部２１に向けて室外ユニット２の室外空調容量を要求する旨の信号を送信する。その後、室外子機ＣＰＵ２３は、室外子機記憶部２２に格納されている室外ユニット２の室外空調容量を示す情報を読み出して、室外子機通信部２１から室外親機通信部１１に向けて送信させる。また、室外親機ＣＰＵ１３は、自己の室外ユニット１の室外空調容量を格納している室外親機記憶部１２から室外空調容量を読み出す。なお、図４、５に示すように、室外親機通信部１１と室外子機通信部２１の伝送ラインが通信可能になっていない場合には、室外親機通信部１１は、室外ユニット２の室外空調容量を把握しないことになる。
【００３８】
ステップＳ２０では、室外親機ＣＰＵ１３は、自己の室外ユニット１の室外空調容量と、室外親機通信部１１が伝送ラインを介して取得した他の室外ユニットの室外空調容量との総和を算出する。ここでは、図１、２に示すように、室外親機通信部１１と室外子機通信部２１とが通信可能に接続されている場合には、室外親機ＣＰＵ１３は、室外空調容量の総和が、室外ユニット１の１０馬力に室外ユニット２の１０馬力を加えた合計として、２０馬力の室外空調容量があると判断する。これに対して、図４、５に示すように、室外親機通信部１１と室外子機通信部２１の伝送ラインが通信可能になっていない場合には、室外親機ＣＰＵ１３は、室外空調容量の総和が、室外ユニット１の１０馬力だけ、室外空調容量があると判断する。
【００３９】
ステップＳ３０では、室外親機ＣＰＵ１３は、室外親機ＣＰＵ１３は、室外親機通信部１１に対して伝送ラインを介して通信可能に接続されている室内ユニットから、その通信可能に接続されている室内ユニットの室内空調容量の情報を取得する。具体的には、図１、２に示すように、室外親機通信部１１に対して伝送ラインを介して接続されている室内ユニット４の第１室内通信部４１、さらに伝送ラインを介して接続されている室内ユニット５の第２室内通信部５１、さらに伝送ラインを介して接続されている室内ユニット６の第３室内通信部６１、さらに伝送ラインを介して接続されている室内ユニット７の第４室内通信部６１に対して、室外親機通信部１１から各室内ユニットの室内空調容量を要求する旨の信号を送信する。その後、第１室内ＣＰＵ４３は、第１室内記憶部４２に格納されている室内ユニット４の室内空調容量を示す情報を読み出して、第１室内通信部４１から室外親機通信部１１に向けて送信させる。第２室内ＣＰＵ５３は、第２室内記憶部５２に格納されている室内ユニット５の室内空調容量を示す情報を読み出して、第２室内通信部５１から伝送ラインや第１室内通信部４１を介して室外親機通信部１１に向けて送信させる。第３室内ＣＰＵ６３は、第３室内記憶部６２に格納されている室内ユニット６の室内空調容量を示す情報を読み出して、第３室内通信部６１から伝送ラインや第１室内通信部４１、第２室内通信部５１を介して室外親機通信部１１に向けて送信させる。第４室内ＣＰＵ７３は、第４室内記憶部７２に格納されている室内ユニット７の室内空調容量を示す情報を読み出して、第４室内通信部７１から伝送ラインや第１室内通信部４１、第２室内通信部５１、第３室内通信部６１を介して室外親機通信部１１に向けて送信させる。なお、伝送ラインが通信可能になっていない部分があると、その部分を介した通信が不可能になることから、室外親機通信部１１は、当該部分よりも先に接続されている室内ユニットの室内空調容量を把握しないことになる。
【００４０】
ステップＳ４０では、室外親機ＣＰＵ１３は、室外親機通信部１１が伝送ラインを介して取得した室内ユニットの室外空調容量の総和を算出する。ここでは、室外親機通信部１１と各第１〜第４室内通信部４１、５１、６１、７１とが通信可能に接続されている場合には、室外親機ＣＰＵ１３は、室内空調容量の総和が、室内ユニット４の５馬力、室内ユニット５の５馬力、室内ユニット６の５馬力、室内ユニット７の５馬力を合計して、２０馬力の室内空調容量があると判断する。これに対して、室外親機通信部１１と通信可能に接続されていない部分がある場合には、室外親機ＣＰＵ１３は、室内空調容量の総和が、２０馬力より少ない値であると判断する。
【００４１】
ステップＳ５０では、室外親機ＣＰＵ１３は、室外空調容量の総和と、室内空調容量の総和とのバランスが所定条件を満たしているか否かを判断する。ここで、本実施形態において所定条件は、室外空調容量の総和の１４０％よりも、室内空調容量の総和が少ないこと、として定めている。なお、この１４０％という基準は、室内ユニット側の室内空調容量の総和が多少多めである空調システムを許容する意図で定められているが、特にこの値に限定されるものではない。この所定条件を満たした場合には、ステップＳ６０に移行し、満たさない場合はステップＳ７０に移行する。
【００４２】
ステップＳ６０では、室外親機ＣＰＵ１３は、室外親機通信部１１からコントローラ９のリモコン通信部９１に向けて、伝送異常が無い旨の表示出力を行わせる指令を送る。この指令を受けたコントローラ９は、リモコンＣＰＵ９３が表示出力部９４において、伝送異常が無いことを文字情報として表示出力させる。この文字情報は、所定の情報コードであってもよいし、“伝送異常無し”という具体的な言葉による表示出力であってもよい。ここで、図１、２に示すように、室外親機通信部１１と室外子機通信部２１とが通信可能に接続されている場合には、室外親機ＣＰＵ１３は、室外空調容量の総和を２０馬力として把握しており、室内空調容量の総和を２０馬力として把握しているため、上記所定条件を満たすと判断することになる。これに対して、図４、５に示すように、室外親機通信部１１と室外子機通信部２１の伝送ラインが通信可能になっていない場合には、室外親機ＣＰＵ１３は、室外空調容量の総和を１０馬力として把握しており、室内空調容量の総和を２０馬力として把握しているため、室外空調容量の総和に対する室内空調容量の総和が大きすぎるために、上記所定条件を満たしていないと判断することになる。
【００４３】
ステップＳ７０では、室外親機ＣＰＵ１３は、室外親機通信部１１からコントローラ９のリモコン通信部９１に向けて、伝送異常が生じている旨の表示出力を行わせる指令を送る。この指令を受けたコントローラ９は、リモコンＣＰＵ９３が表示出力部９４において、伝承異常が生じていることを文字情報として表示出力させる。この文字情報は、所定の情報コード（例えば、異常の種類を特定可能な異常コード等）であってもよいし、“伝送異常有り”という具体的な言葉による表示出力であってもよい。
【００４４】
（３）本実施形態の特徴
通常、空調システムにおける室外ユニットと室内ユニットとは、ユーザが希望する空調容量の程度となるように、室外ユニットや室内ユニットの機種を選んで構成されている。このため、空調システムにおいて、室外空調容量の総和と室内空調容量の総和とは、適切な関係となっており、室外ユニットや室内ユニットの一部において能力不足が生じにくく、オーバースペックとならないようにして空調システムのコストをできるだけ小さく抑えることが可能になっている。
【００４５】
そして、このような空調システムを現地に施工する際に、各室外ユニットや各室内ユニットを伝送ラインによって接続する作業が行われるが、ここで通信を確立させることができないような接続状態になっている部分が生じることがある。このように伝送異常が生じている場合には、外形的には、ユーザの希望する空調容量であって室外側と室内側の空調容量のバランスのとれた空調システムが施工されているにも関わらず、伝送ラインによって実際に通信が確率されている部分については、室外空調容量の総和と室内空調容量の総和とが本来の適切な関係になっていないことがある。
【００４６】
これに対して、本実施形態の伝送異常の判断方法では、室外空調容量の総和と室内空調容量の総和とが適切な関係である空調システム１００の伝送異常を判断する場合に、各室外ユニットや室内ユニットにおいてそれぞれ自己の室外空調容量や室内空調容量を示す情報を予め格納させた記憶部を持たせている。そして、当該空調システム１００の全体のうち、伝送異常が生じることなく実際に伝送ラインを介した通信が確立していたために通信によって取得することができた情報のみに基づいて、室外空調容量の総和と室内空調容量の総和の比率を特定し、所定条件を満たしているか否かを判断している。
【００４７】
これにより、空調システムにおいて室外空調容量と室内空調容量とが適切な関係となるように室外ユニットと室内ユニットが接続されて例外回路が構成されていることを利用して、伝送異常が生じているか否かを把握しやすくすることが可能になっている。また、サービスエンジニアは、コントローラ９の表示出力部９４において伝送異常の判断結果が表示出力されることによって、伝送異常の判断結果を視覚的に把握することができる。
【００４８】
なお、上述の通信によって取得した情報に基づいて室外空調容量の総和と室内空調容量の総和を比較して所定条件を満たすか否かを判断しただけでは、原因が伝送異常であることを完全に特定することはできずに、伝送異常以外の原因によって所定条件を満たさなくなっている可能性が残存する場合もあるが、少なくとも施工した空調システムにおいて伝送異常が生じている可能性を把握することができるようになっている。
【００４９】
なお、本実施形態において、室外ユニット１の室外親機通信部１１と室外ユニット２の室外子機通信部２１とが通信可能となるように接続されていない場合において、室内ユニット５の第２室内通信部５１と室内ユニット６の第３室内通信部６１とが通信可能となるように接続されていない場合には、室外親機ＣＰＵ１３は、室外空調容量が１０馬力であり、室内空調容量が１０馬力であり、所定条件を満たしていると判断してしまうことになる。しかし、このような事態は生じにくく、仮に生じたとしても、室外空調容量の総和と室内空調容量の総和とのバランスが著しく欠けているわけではないため、そのまま空調システムを運転させることがあっても、バランスが欠けている場合と比較して不具合や機器へのダメージ等が生じにくい。
【００５０】
（４）他の実施形態
以上、本発明の一実施形態について図面に基づいて説明したが、本発明はこれに限定されるものではなく、発明の要旨を逸脱しない範囲で適宜変更した形態についても含まれる。
【００５１】
（４−１）他の実施形態Ａ
上記実施形態では、室外ユニットが複数台接続されて構成された冷媒回路を有する空調システム１００において伝送異常を判断する場合を例に挙げて説明した。
【００５２】
しかし、本発明はこれに限られるものではない。
【００５３】
例えば、図７に示すように、１台の室外ユニットに対して複数台の室内ユニットが接続されて構成された空調システム２００であってもよい。なお、図７において、上記実施形態の対応する構成については同じ部材番号で示している。
【００５４】
（４−２）他の実施形態Ｂ
上記実施形態では、室外ユニットが複数台接続されて構成された冷媒回路を有する空調システム１００において伝送異常を判断する場合を例に挙げて説明した。
【００５５】
しかし、本発明はこれに限られるものではない。
【００５６】
例えば、図８に示すように、複数台の室外ユニットに対して１台の室内ユニットが接続されて構成された空調システム３００であってもよい。この空調システム３００は、冷媒回路において室外ユニット１に対して並列に接続されている、室外ユニット３０２および室外ユニット３０３を有している。室外ユニット３０２は、室外ユニット１の室外親機通信部１１と伝送ラインを介して接続された第１室外子機通信部３２１、第１室外子機記憶部３２２、および、第１室外子機ＣＰＵ３２３を有している。室外ユニット３０３は、室外ユニット２の第１室外子機通信部３２１と伝送ラインを介して接続された第２室外子機通信部３３１、第２室外子機記憶部３３２、および、第２室外子機ＣＰＵ３３３を有している。なお、図８において、上記実施形態の対応する構成については同じ部材番号で示している。
【００５７】
（４−３）他の実施形態Ｃ
上記実施形態では、通信によって室外空調容量を示す情報や室内空調容量を示す情報そのものを親機が直接取得する場合を例に挙げて説明した。
【００５８】
しかし、本発明はこれに限られるものではない。
【００５９】
例えば、室外ユニット２、室内ユニット４、５、６、７から親機としての室外ユニット１に送信される情報は、室外ユニットの室外空調容量や室内ユニットの室内空調容量を示す情報そのものではなく、室外ユニットの機種や室内ユニットの機種を示す情報だけであってもよい。この場合には、親機としての室外ユニット１の室外親機記憶部１２において、当該機種と対応させた室外空調容量や室内空調容量の情報を示す情報テーブルを予め格納させておくことで、室外親機ＣＰＵ１３がこれを参照しながら室外ユニットの室外空調容量や室内ユニットの室内空調容量を把握するようにしてもよい。
【００６０】
なお、ここで送信される室外空調容量や室内空調容量ではない情報としては、室外親機記憶部１２に格納された情報テーブルを参照して対応関係を把握できるようにしておけば、機種を示す情報に限られず、室外空調容量や室内空調容量を特定することができる情報であればよい。
【００６１】
（４−４）他の実施形態Ｄ
上記実施形態では、室外ユニット１を空調システム１００の親機として、室外ユニット１の室外親機ＣＰＵ１３を主体とした通信処理を行わせる空調システム１００を例に挙げて説明した。
【００６２】
しかし、本発明はこれに限られるものではない。
【００６３】
例えば、室内ユニット４を空調システムの親機として、室内ユニット４の第１室内ＣＰＵ４３を主体として、上述した室外親機ＣＰＵ１３と同様の機能を実行させるように構成してもよい。
【００６４】
（４−５）他の実施形態Ｅ
上記実施形態では、室外ユニット１の室外親機通信部１１から延びた伝送ラインによって室外ユニット２の室外子機通信部２１が接続され、室外ユニット１の室外親機通信部１１から延びた別の伝送ラインによって室内ユニット４の第１室内通信部４１が接続され、室内ユニット２の第２室内通信部５１はこの第１室内通信部４１から延びる伝送ラインを介して間接的に接続されている空調システム１００を例に挙げて説明した。
【００６５】
しかし、本発明はこれに限られるものではない。
【００６６】
例えば、室外ユニット１の室外親機通信部１１が、室外ユニット２の室外子機通信部２１、室内ユニット４の第１室内通信部４１、室内ユニット５の第２室内通信部５１、室内ユニット６の第３室内通信部６１、および、室内ユニット７の第４室内通信部７１のそれぞれと伝送ラインを介して直接的に接続されて通信網が構成されていてもよい。この場合には、室外ユニット１の室外親機ＣＰＵ１３は、室外子機通信部２１、第１室内通信部４１、第２室内通信部５１、第３室内通信部６１、および、第４室内通信部７１を対象として、室外親機通信部１１にパラレル通信を行わせ、各ユニットの空調容量の情報を把握するようにしてもよい。
【００６７】
（４−６）他の実施形態Ｆ
上記実施形態では、伝送異常の有無の判断結果を、コントローラ９の表示出力部９４の液晶表示部を用いて文字情報として表示出力する場合を例に挙げて説明した。
【００６８】
しかし、本発明はこれに限られるものではない。
【００６９】
例えば、伝送異常の有無の判断結果を報知するための手段としては、ＬＥＤを設けて点灯、点滅させたり、音声出力手段を設けて音声によって報知させたりしてもよい。また、報知するための手段は、コントローラ９に限られず、室外ユニットや室内ユニットのうちのいずれかに設けられていてもよい。
【００７０】
（４−７）他の実施形態Ｇ
上記実施形態では、伝送ラインである有線を介して通信を行う場合を例に挙げて説明した。
【００７１】
しかし、本発明はこれに限られるものではない。
【００７２】
例えば、室外ユニット間や室外ユニットと室内ユニットとの間の通信が無線によって行われる空調システムにおいて、当該無線通信における伝送異常の有無を判断する方法として用いるようにしてもよい。
【００７３】
（４−８）他の実施形態Ｈ
上記実施形態では、室外空調容量の総和と室内空調容量の総和とが満たすべき所定条件として、室外空調容量の総和の１４０％よりも室内空調容量の総和が少ないこと、を例に挙げて説明した。
【００７４】
しかし、本発明はこれに限られるものではない。
【００７５】
例えば、所定条件として、室外空調容量の総和の５０％よりも室内空調容量の総和が多いことという条件を、重畳的、もしくは、単独で設けるようにしてもよい。この場合には、室外ユニットが必要以上に設けられており、経済的な無駄が生じるシステム構成になっていることを把握することができる。
【産業上の利用可能性】
【００７６】
本発明の空調システムにおける伝送異常の判断方法は、例えば、室内ユニットおよび／または室外ユニットが複数設けられており、空調容量が適切な関係となるように構成されており、かつ、伝送異常が生じていないことを確認するために用いることが、特に有用である。
【符号の説明】
【００７７】
１、２、３  室外ユニット
４、５、６、７  室内ユニット
１１  室外親機通信部（室外通信手段）
１２  室外親機記憶部（室外記憶手段）
１３  室外親機ＣＰＵ（判断主体）
２１  室外子機通信部（室外通信手段）
２２  室外子機通信部（室外記憶手段）
４１、５１、６１、７１  第１〜第４室内通信部（室内通信手段）
４２、５２、６２、７２  第１〜第４室内記憶部（室内記憶手段）
４３  第１室内ＣＰＵ（判断主体）
９４  表示出力部（報知部）
１００、２００、３００  空調システム
【先行技術文献】
【特許文献】
【００７８】
【特許文献１】特開平７−７１８０２号公報
【図１】
2012127552.tif 000003
【図２】
2012127552.tif 000004
【図３】
2012127552.tif 000005
【図４】
2012127552.tif 000006
【図５】
2012127552.tif 000007
【図６】
2012127552.tif 000008
【図７】
2012127552.tif 000009
【図８】
2012127552.tif 000010